(57)【要約】【課題】本発明は左右の建物が異なる前後左右方向に揺れ動いてもその揺れ動きを吸収して目地部に隙間が生じて危険になるのを確実に防止でき、全体を異なる前後方向に回動させて安全に使用できる渡り通路用床目地装置を得るにある。【解決手段】左右の渡り通路の目地部側の床躯体に反目地部側の中央部が枢支ピンで枢支された回動可能な左右の支持台と、この左右の支持台に支持され中央部の中央維持片が目地部のほぼ中央部に位置する両端部が枢支ピンに枢支された中央維持機構と、左右の支持台のほぼ中央部に両端部が位置するように支持された中央維持機構の前後部位を支持する前後部支持体と、この前後部支持体および該前後部支持体の位置している中央維持機構部分の上部を覆うように、該前後部支持体に固定された目地プレ−トと、この目地プレ−トの左右の支持台上に位置している部分および、該左右の支持台の回動を阻止しないように、左右の渡り通路の床躯体上を回動可能に左右の支持台に固定された左右のカバ−プレ−トとで渡り通路用床目地装置を構成している。【選択図】　図１
2004011385.tif 000002
【特許請求の範囲】
【請求項１】
目地部を介して連通できるように左右の建物に形成された左右の渡り通路の目地部側の床躯体に、反目地部側の中央部が枢支ピンで枢支された回動可能な左右の支持台と、この左右の支持台に支持され、中央部の中央維持片が前記左右の建物が異なる左右方向に揺れ動いても、前記目地部のほぼ中央部に位置する両端部が前記枢支ピンあるいは前記左右の支持台の中央部に取付けられた枢支ピンに枢支された中央維持機構と、前記左右の支持台のほぼ中央部に両端部が位置するように支持された、前記中央維持機構の前後部位を支持する前後部支持体と、この前後部支持体および該前後部支持体の位置している前記中央維持機構部分の上部を覆うように、該前後部支持体に固定された目地プレ−トと、この目地プレ−トの前記左右の支持台上に位置している部分および、該左右の支持台の回動を阻止しないように、前記左右の渡り通路の床躯体上を回動可能に前記左右の支持台に固定された左右のカバ−プレ−トとからなることを特徴とする渡り通路用床目地装置。
【請求項２】
目地部を介して連通できるように左右の建物に形成された左右の渡り通路の目地部側の凹部が形成された床躯体に、反目地部側の中央部が枢支ピンで枢支された回動可能な左右の支持台と、この左右の支持台に支持され、中央部の中央維持片が前記左右の建物が異なる左右方向に揺れ動いても、前記目地部のほぼ中央部に位置する両端部が前記枢支ピンあるいは前記左右の支持台の中央部に取付けられた枢支ピンに枢支された中央維持機構と、前記左右の支持台のほぼ中央部に両端部が位置するように支持された前記中央維持機構の前後部位を支持する前後部支持体と、この前後部支持体および該前後部支持体の位置している前記中央維持機構部分の上部を覆うように、該前後部支持体に固定された目地プレ−トと、この目地プレ−トの前記左右の支持台上に位置している部分および、該左右の支持台の回動を阻止しないように、前記左右の渡り通路の凹部近傍の床躯体上を回動可能に前記左右の支持台に固定された左右のカバ−プレ−トと、この左右のカバ−プレ−トの前後端部に固定された２対の固定手摺に、スライド可能に取付けられた一対のスライド手摺とからなることを特徴とする渡り通路用床目地装置。
【発明の詳細な説明】
【０００１】
【発明の属する技術分野】
本発明は渡り通路用床目地装置に関する。
【０００２】
【従来の技術】
従来、渡り通路用目地装置は一方の渡り通路の目地部寄りの部位の床躯体に、凹部を形成して固定された下地レ−ルのほぼ中央部に先端部が位置し、後端部が他方の渡り通路の目地部寄りの床躯体に固定された目地プレ−トと、この目地プレ−トの先端部および前記下地レ−ルの上部を覆うように、該下地レ−ルに固定されたカバ−プレ−トとで構成されている。
【０００３】
【発明が解決しようとする課題】
従来の渡り通路用目地装置は地震等によって、左右の建物が異なる前後左右方向の揺れ動きを吸収することはできるが、前後方向に揺れ動いた場合、目地プレ−トが他方の建物と一体になって前後方向に移動するため、一方の建物側の前後端部に目地プレ−トのない隙間が生じ、危険になるという欠点があった。
【０００４】
本発明は以上のような従来の欠点に鑑み、左右の建物が異なる前後左右方向に揺れ動いても、その揺れ動きを吸収することができるとともに、目地部に隙間が生じて危険になるのを確実に防止でき、かつ全体を異なる前後方向に回動させて、安全に使用することができる渡り通路用床目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して連通できるように左右の建物に形成された左右の渡り通路の目地部側の床躯体に、反目地部側の中央部が枢支ピンで枢支された回動可能な左右の支持台と、この左右の支持台に支持され、中央部の中央維持片が前記左右の建物が異なる左右方向に揺れ動いても、前記目地部のほぼ中央部に位置する両端部が前記枢支ピンあるいは前記左右の支持台の中央部に取付けられた枢支ピンに枢支された中央維持機構と、前記左右の支持台のほぼ中央部に両端部が位置するように支持された、前記中央維持機構の前後部位を支持する前後部支持体と、この前後部支持体および該前後部支持体の位置している前記中央維持機構部分の上部を覆うように、該前後部支持体に固定された目地プレ−トと、この目地プレ−トの前記左右の支持台上に位置している部分および、該左右の支持台の回動を阻止しないように、前記左右の渡り通路の床躯体上を回動可能に前記左右の支持台に固定された左右のカバ−プレ−トとで渡り通路用床目地装置を構成している。
【０００７】
【発明の実施の形態】
以下、図面に示す実施の形態により、本発明を詳細に説明する。
【０００８】
図１ないし図１２に示す本発明の第１の実施の形態において、１は左右の建物２、２より目地部３を介して、対向するように設けられた左右の渡り通路４、４を連通する本発明の渡り通路用床目地装置で、この渡り通路用床目地装置１は前記左右の渡り通路４、４の目地部３側の床躯体４ａ、４ａに形成された凹部５、５に、反目地部側の中央部が枢支ピン６、６で枢支された回動可能な左右の支持台７、７と、この左右の支持台７、７に支持され、中央部の中央維持片８が前記左右の建物２、２が異なる左右方向へ揺れ動いても、前記目地部３のほぼ中央部に位置する両端部が前記枢支ピン６、６に枢支された中央維持機構９と、前記左右の支持台７、７のほぼ中央部に両端部が位置するように支持された前記中央維持機構９の前後部位を支持する前後部支持体１０、１０と、この前後部支持体１０、１０および前後部支持体１０、１０の位置している、前記中央維持機構９部分の上部を覆うように、該前後部支持体１０、１０に複数本の皿ビス１１等によって固定された目地プレ−ト１２と、この目地プレート１２の前記左右の支持台７、７上に位置している部分および該左右の支持台７、７の回動を阻止しないように前記凹部５、５近傍の床躯体４ａ、４ａ上を回動可能に、前記左右の支持台７、７に複数本の皿ビス１１等によって固定された左右のカバープレート１３、１３と、この左右のカバープレート１３、１３の前後端部に溶接あるいは複数本のビス等によって固定された２対の固定手摺１４、１４、１４、１４、この２対の固定手摺１４、１４、１４、１４にスライド可能に取付けられた一対のスライド手摺１５、１５からなる手摺１６、１６とで構成されている。
【０００９】
前記左右の支持台７、７は図４に示すように、ホームベース形状の支持台本体１７と、この支持台本体１７の直線状の先端部を除く外周部より上方に逆Ｌ字状に突出形成した支持片１８と、前記支持台本体１７の後端部のほぼ中央部に形成された枢支ピン挿入孔１９とで構成されている。
【００１０】
前記中央維持機構９は図５に示すように、対向する先端部側にラック２０、２０が形成され、後端部に枢支ピン挿入孔２１、２１が形成された一対の作動杆２２、２２と、この一対の作動杆２２、２２のラック２０、２０の中央部に噛み合うピニオン２３と、このピニオン２３の軸２４に取付けられた前記一対の作動杆２２、２２がスライド移動可能で、該ピニオン２３との噛み合いが外れるのを防止する中央維持片８と、この中央維持片８の下端部より外方に突出して、複数本のビス２５等によって前記前後部支持体１０、１０を支持する支持片２６、２６とで構成されている。
【００１１】
前記前後部支持体１０、１０は図６に示すように、所定間隔に配置された複数本、本発明の実施の形態では３本のバ−部材２７、２７、２７と、このバ−部材２７、２７、２７の両端部に溶接等によって固定された支持バ−２８、２８とで構成されている。
なお、本発明の実施の形態では前後部支持体１０、１０の軽量化を図るために複数本のバ−部材２７、２７、２７を用いたものについて説明したが、本発明はこれに限らず、鋼板あるいは波型鋼板を用いてもよい。
【００１２】
前記目地プレ−ト１２は図７に示すように、板状にステンレス、ステンレス合金、アルミ合金等の金属材で形成された目地プレ−ト本体２９と、この目地プレ−ト２９の前後端部より下方へ突出するように一体形成されたカバ−片３０、３０とで構成されている。
【００１３】
前記左右のカバ−プレ−ト１３、１３は図８に示すように板状にステンレス、ステンレス合金、アルミ合金等の金属材で形成され、前後端部寄りの部位で複数本の皿ビス１１等によって前記左右の支持台７、７の支持片１８、１８に固定されるカバ−プレ−ト本体３１と、このカバ−プレ−ト本体３１の床躯体４ａ側を除く前後端部より下方へ突出するように一体形成されたカバ−片３２、３２とで構成されている。
【００１４】
前記２対の固定手摺１４、１４、１４、１４は図９に示すように、長方形状の筒状に形成され、前記左右のカバ−プレ−ト１３、１３の前後端部に溶接あるいは複数本のビス等によって固定された固定手摺本体３３と、この固定手摺本体３３の後端部を閉塞する閉塞板３４とで構成されている。
【００１５】
前記一対のスライド手摺１５、１５は図９に示すように、前記２対の固定手摺１４、１４、１４、１４内に両端部が挿入されたスライド移動可能なスライド手摺本体３５と、このスライド手摺本体３５の中央部に中央部の枢支部３６が枢支ピン３７で枢支され、両端部が前記固定手摺１４、１４、１４、１４の後端部あるいは閉塞板３４、３４に枢支ピン３８、３８で枢支されたパンタグラフ形状の中央維持リンク３９とで構成されている。
【００１６】
上記構成の渡り通路用床目地装置１は地震等によって、左右の渡り通路４、４の目地部３が広くなるように揺れ動いた場合には、図１０に示すように左右の支持台７、７が左右の渡り通路４、４と一体になって左右方向に移動し、該左右の支持台７、７に支持されている前後部支持体１０、１０および目地プレ−ト１２は中央維持機構９によって、目地部３の中央部に中央部が位置するように支持されているため、前後部支持体１０、１０の左右端部が左右の支持台７、７上をスライド移動して、その揺れ動きを吸収する。
また、図１１に示すように目地部３が狭くなるように揺れ動いた場合にも、同様に前後部支持体１０、１０の左右端部が左右の支持台７、７上をスライド移動して、その揺れ動きを吸収する。
【００１７】
左右の渡り通路４、４が異なる前後方向に揺れ動いた場合には、図１２に示すように枢支ピン６、６を支点に左右の支持台７、７、中央維持機構９、前後部支持体１０、１０、目地プレ−ト１２および左右のカバ−プレ−ト１３、１３が一体状態となって、その揺れ動きを吸収する。
また、異なる前後方向の揺れ動きで、目地部３が広くなったり、狭くなった場合には前述の動作が複合して、その揺れ動きを吸収する。
【００１８】
【本発明の異なる実施の形態】
次に、図１３ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１９】
図１３ないし図１５に示す本発明の第２の実施の形態おいて、前記本発明の第１の実施の形態と主に異なる点は、左右の支持台７、７の中央部に中央維持機構９Ａの一対の作動杆２２Ａ、２２Ａの後端部を枢支ピン４０、４０で枢支するとともに、板状の目地プレ−ト１２Ａと板状の左右のカバ−プレ−ト１３Ａ、１３Ａとを用いた点で、このように構成した渡り通路用床目地装置１Ａにしても、前記本発明の第１の実施の形態と同様な作用効果が得られる。
【００２０】
図１６ないし図１８に示す本発明の第３の実施の形態おいて、前記本発明の第１の実施の形態と主に異なる点は、凹部のない左右の渡り通路４、４の目地部側の床躯体４ａ、４ａに、左右の支持台７、７を枢支ピン６、６で枢支するとともに、先端部に左右の渡り通路４、４の床躯体にスライド可能に支持される傾斜面４１、４１を形成した左右のカバ−プレ−ト１３Ｂ、１３Ｂを用いた点で、このように構成した渡り通路用床目地装置１Ｂにしても、前記本発明の第１の実施の形態と同様な作用効果が得られる。
【００２１】
図１９ないし図２１示す本発明の第４の実施の形態おいて、前記本発明の第１の実施の形態と主に異なる点は、前後部支持体１０Ａ、１０Ａのほぼ中央部に左右方向にスライド移動可能で、先端部が左右の支持台７、７の床目地部側に枢支ピン４２、４２、４２、４２で枢支される目地プレ−ト補強カバ−４３、４３、４３、４３を取付けた点で、このように構成した渡り通路用床目地装置１Ｃにしても、前記本発明の第１の実施の形態と同様な作用効果が得られる。
【００２２】
【発明の効果】
以上の説明から明らかなように、本発明にあっては次に列挙する効果が得られる。
【００２３】
（１）目地部を介して連通できるように左右の建物に形成された左右の渡り通路の目地部側の床躯体に、反目地部側の中央部が枢支ピンで枢支された回動可能な左右の支持台と、この左右の支持台に支持され、中央部の中央維持片が前記左右の建物が異なる左右方向に揺れ動いても、前記目地部のほぼ中央部に位置する両端部が前記枢支ピンあるいは前記左右の支持台の中央部に取付けられた枢支ピンに枢支された中央維持機構と、前記左右の支持台のほぼ中央部に両端部が位置するように支持された、前記中央維持機構の前後部位を支持する前後部支持体と、この前後部支持体および該前後部支持体の位置している前記中央維持機構部分の上部を覆うように、該前後部支持体に固定された目地プレ−トと、この目地プレ−トの前記左右の支持台上に位置している部分および、該左右の支持台の回動を阻止しないように、前記左右の渡り通路の床躯体上を回動可能に前記左右の支持台に固定された左右のカバ−プレ−トとで構成されているので、左右の支持台を枢支している枢支ピンを支点にして、該左右の支持台、中央維持機構、前後部支持体、目地プレ−トおよび左右のカバ−プレ−トを一体状態で回動させることができる。
したがって、地震等によって、異なる前後方向に左右の渡り通路が揺れ動いても、目地部に隙間が生じることなく覆った状態を保ち、安全に使用することができる。
【００２４】
（２）前記（１）によって、異なる左右方向に揺れ動いた場合には、中央維持機構によって前後部支持体および目地プレ−トの中央部が目地部の中央部に位置した状態で、左右端部が左右の支持台上をスライド移動して、その揺れ動きを吸収することができる。
したがって、最大の移動量を確実に設定することができるとともに、前後部支持体および目地プレ−トの左右方向の寸法を最小寸法に設定することができる。
【００２５】
（３）前記（１）によって、構造が簡単で容易に設置することができる。
【００２６】
（４）請求項２も前記（１）〜（３）と同様な効果が得られるとともに、左右方向にスライド移動するだけのスライド手摺を用いた簡単な構造の手摺を設置することができる。
【図面の簡単な説明】
【図１】本発明の第１の実施の形態の平面図。
【図２】本発明の第１の実施の形態の正面図。
【図３】図１の３−３線に沿う拡大断面図。
【図４】本発明の第１の実施の形態の左右の支持台の説明図。
【図５】本発明の第１の実施の形態の中央維持機構の説明図。
【図６】本発明の第１の実施の形態の前後部支持体の説明図。
【図７】本発明の第１の実施の形態の目地プレ−トの説明図。
【図８】本発明の第１の実施の形態の左右のカバ−プレ−トの説明図。
【図９】本発明の第１の実施の形態の手摺の説明図。
【図１０】本発明の第１の実施の形態の目地部が広くなった動作説明図。
【図１１】本発明の第１の実施の形態の目地部が狭くなった動作説明図。
【図１２】本発明の第１の実施の形態の異なる前後方向の動作説明図。
【図１３】本発明の第２の実施の形態の平面図。
【図１４】図１３の１４−１４線に沿う拡大断面図。
【図１５】本発明の第２の実施の形態の中央維持機構の取付け状態の説明図。
【図１６】本発明の第３の実施の形態の平面図。
【図１７】本発明の第３の実施の形態の正面図。
【図１８】図１６の１８−１８線に沿う拡大断面図。
【図１９】本発明の第４の実施の形態の平面図。
【図２０】図１９の２０−２０線に沿う拡大断面図。
【図２１】本発明の第４の実施の形態の前後部支持体の説明図。
【符号の説明】
１、１Ａ、１Ｂ、１Ｃ：渡り通路用床目地装置、
２：建物、　　　　　　　３：目地部、
４：渡り通路、　　　　　４ａ：床躯体、
５：凹部、　　　　　　　６：枢支ピン、
７：左右の支持台、　　　８：中央維持片、
９、９Ａ：中央維持機構、１０、１０Ａ：前後部支持体、
１１：皿ビス、　　　　　１２、１２Ａ：目地プレ−ト、
１３、１３Ａ、１３Ｂ：左右のカバ−プレ−ト、
１４：固定手摺、　　　　１５：スライド手摺、
１６：手摺、　　　　　　１７：支持台本体、
１８：支持片、　　　　　１９：枢支ピン挿入孔、
２０：ラック、　　　　　２１：枢支ピン挿入孔、
２２、２２Ａ：作動杆、　２３：ピニオン、
２４：軸、　　　　　　　２５：ビス、
２６：支持片、　　　　　２７：バ−部材、
２８：支持バ−、　　　　２９：目地プレ−ト本体、
３０：カバ−片、　　　　３１：カバ−プレ−ト本体、
３２：カバ−片、　　　　３３：固定手摺本体、
３４：閉塞板、　　　　　３５：スライド手摺本体、
３６：中央部の枢支部、　３７：枢支ピン、
３８：枢支ピン、　　　　３９：中央維持リンク、
４０：枢支ピン、　　　　４１：傾斜面、
４２：枢支ピン、　　　　４３：目地プレ−ト補強バ−。
【図１】
2004011385.tif 000003
【図２】
2004011385.tif 000004
【図３】
2004011385.tif 000005
【図４】
2004011385.tif 000006
【図５】
2004011385.tif 000007
【図６】
2004011385.tif 000008
【図７】
2004011385.tif 000009
【図８】
2004011385.tif 000010
【図９】
2004011385.tif 000011
【図１０】
2004011385.tif 000012
【図１１】
2004011385.tif 000013
【図１２】
2004011385.tif 000014
【図１３】
2004011385.tif 000015
【図１４】
2004011385.tif 000016
【図１５】
2004011385.tif 000017
【図１６】
2004011385.tif 000018
【図１７】
2004011385.tif 000019
【図１８】
2004011385.tif 000020
【図１９】
2004011385.tif 000021
【図２０】
2004011385.tif 000022
【図２１】
2004011385.tif 000023